(57)【要約】【課題】異なる無線アクセスシステム間のハンドオーバーにおいて、ハンドオーバー後もハンドオーバー前に行っていた通信種別で要求される通信品質を維持する。【解決手段】ハンドオーバー制御装置２０は、ハンドオーバー先決定部２１と、ハンドオーバー制御部２２と、無線リソース使用状況収集部２３と、システム情報データベース２４とを備える。ハンドオーバー先決定部２１は、移動端末４０が接続システムにおいて現在通信している通信種別で要求される通信品質を、ハンドオーバー先候補の無線アクセスシステムが提供可能か否か、現在通信している通信種別で要求される通信品質を維持するために必要な無線リソース量を確保できるか否かを判断して、ハンドオーバー先の無線アクセスシステムを決定する。【選択図】図１
2006020270.tif 000002
【特許請求の範囲】
【請求項１】
移動端末が接続中の無線アクセスシステムにおいて通信中の通信種別の通信品質と、ハンドオーバー先候補の無線アクセスシステムにおける無線リソースの使用状況と、前記ハンドオーバー先候補の無線アクセスシステムが提供する通信種別の通信品質とに基づいて、ハンドオーバー先の無線アクセスシステムを決定するハンドオーバー先決定部と、
該決定されたハンドオーバー先の無線アクセスシステムにハンドオーバーを行うよう制御するハンドオーバー制御部と
を備えることを特徴とするハンドオーバー制御装置。
【請求項２】
前記ハンドオーバー先候補の無線アクセスシステムに前記無線リソースの使用状況の提供を指示し、前記無線リソースの使用状況を収集する無線リソース使用状況収集部を備え、
前記ハンドオーバー先決定部は、前記収集された無線リソースの使用状況を用いて、前記ハンドオーバー先の無線アクセスシステムを決定することを特徴とする請求項１に記載のハンドオーバー制御装置。
【請求項３】
前記ハンドオーバー制御部は、前記ハンドオーバー先の無線アクセスシステムに対して、前記通信中の通信種別の通信品質に必要な必要無線リソースの確保を指示し、前記必要無線リソースが確保された場合にはハンドオーバーを行うよう制御し、前記必要無線リソースが確保できない場合には前記ハンドオーバー先決定部に確保不可を通知し、
前記ハンドオーバー先決定部は、前記確保不可の通知を受けた場合に前記ハンドオーバー先を再度決定することを特徴とする請求項１又は２に記載のハンドオーバー制御装置。
【請求項４】
前記ハンドオーバー先決定部は、前記移動端末のユーザにより設定される前記通信種別毎の無線アクセスシステムの使用優先順位に基づいて、前記ハンドオーバー先の無線アクセスシステムを決定することを特徴とする請求項１乃至３のいずれか１項に記載のハンドオーバー制御装置。
【請求項５】
前記ハンドオーバー制御部は、前記ハンドオーバー先の無線アクセスシステムにハンドオーバーを行うことにより必要となるコアネットワークのネットワークリソースの確保を、該ネットワークリソースを管理するネットワークリソース管理装置に指示することを特徴とする請求項１乃至４のいずれか１項に記載のハンドオーバー制御装置。
【請求項６】
異なる無線アクセスシステム間のハンドオーバーを制御するハンドオーバー制御装置による無線リソースの使用状況の提供の指示又は前記無線リソースの確保の指示の少なくとも１つに従って、前記無線リソースの使用状況の前記ハンドオーバー制御装置への提供又は前記無線リソースの確保の少なくとも１つを行うことを特徴とする無線リソース管理装置。
【請求項７】
異なる無線アクセスシステム間のハンドオーバーを制御するハンドオーバー制御装置によるコアネットワークのネットワークリソースの確保の指示に従って、ハンドオーバー先の無線アクセスシステムにハンドオーバーを行うことにより必要となるコアネットワークのネットワークリソースを確保することを特徴とするネットワークリソース管理装置。
【請求項８】
移動端末が接続中の無線アクセスシステムにおいて通信中の通信種別の通信品質と、ハンドオーバー先候補の無線アクセスシステムにおける無線リソースの使用状況と、前記ハンドオーバー先候補の無線アクセスシステムが提供する通信種別の通信品質とに基づいて、ハンドオーバー先の無線アクセスシステムを決定し、該決定されたハンドオーバー先の無線アクセスシステムにハンドオーバーを行うよう制御するハンドオーバー制御装置と、
該ハンドオーバー制御装置による無線リソースの使用状況の提供の指示又は前記無線リソースの確保の指示の少なくとも１つに従って、前記無線リソースの使用状況の前記ハンドオーバー制御装置への提供又は前記無線リソースの確保の少なくとも１つを行う無線リソース管理装置と
を備えることを特徴とする移動通信システム。
【請求項９】
前記ハンドオーバー制御装置によるコアネットワークのネットワークリソースの確保の指示に従って、前記ハンドオーバー先の無線アクセスシステムにハンドオーバーを行うことにより必要となるコアネットワークのネットワークリソースを確保するネットワークリソース管理装置を備えることを特徴とする請求項８に記載の移動通信システム。
【請求項１０】
移動端末が接続中の無線アクセスシステムにおいて通信中の通信種別の通信品質と、ハンドオーバー先候補の無線アクセスシステムにおける無線リソースの使用状況と、前記ハンドオーバー先候補の無線アクセスシステムが提供する通信種別の通信品質とに基づいて、ハンドオーバー先の無線アクセスシステムを決定し、
該決定されたハンドオーバー先の無線アクセスシステムにハンドオーバーを行うよう制御することを特徴とするハンドオーバー制御方法。
【請求項１１】
前記通信中の通信種別の通信品質に必要な必要無線リソースを、前記ハンドオーバー先の無線アクセスシステムにおいて確保することを特徴とする請求項１０に記載のハンドオーバー制御方法。
【請求項１２】
前記ハンドオーバー先の無線アクセスシステムにハンドオーバーを行うことにより必要となるコアネットワークのネットワークリソースを確保することを特徴とする請求項１０又は１１に記載のハンドオーバー制御方法。
【発明の詳細な説明】
【技術分野】
【０００１】
本発明は、ハンドオーバー制御装置、無線リソース管理装置、ネットワークリソース管理装置、移動通信システム及びハンドオーバー制御方法に関する。
【背景技術】
【０００２】
従来、一つの無線アクセスシステム内において、移動端末が移動に伴い接続する基地局を切り替えるハンドオーバーが行われている。この一つの無線アクセスシステム内におけるハンドオーバーにおいて、その前後で通信品質を維持する方法が提案されている（例えば、特許文献１参照）。一方、近年、モバイルＩＰ（Mobile  IP）を用いてＩＰレベルで移動端末の移動をサポートし、異なる無線アクセスシステムを跨るハンドオーバーを行う方法が提案されている。
【特許文献１】特開２００３−３２７２５号公報
【発明の開示】
【発明が解決しようとする課題】
【０００３】
しかしながら、従来の一つの無線アクセスシステム内における切り替えだけを対象にしたハンドオーバーの方法では、そもそも異なる無線アクセスシステムを跨がるハンドオーバーを実現できなかった。又、モバイルＩＰを用いることにより異なる無線アクセスシステム間のハンドオーバーを実現できるものの、ハンドオーバー後にハンドオーバー前に行っていた通信種別で要求される通信品質を維持できない場合があった。
【０００４】
そこで、本発明は、異なる無線アクセスシステム間のハンドオーバーにおいて、ハンドオーバー後もハンドオーバー前に行っていた通信種別で要求される通信品質を維持することを目的とする。
【課題を解決するための手段】
【０００５】
本発明に係るハンドオーバー制御装置は、移動端末が接続中の無線アクセスシステムにおいて通信中の通信種別の通信品質と、ハンドオーバー先候補の無線アクセスシステムにおける無線リソースの使用状況と、ハンドオーバー先候補の無線アクセスシステムが提供する通信種別の通信品質とに基づいて、ハンドオーバー先の無線アクセスシステムを決定するハンドオーバー先決定部と、決定されたハンドオーバー先の無線アクセスシステムにハンドオーバーを行うよう制御するハンドオーバー制御部とを備えることを特徴とする。
【０００６】
このようなハンドオーバー制御装置によれば、移動端末が接続中の無線アクセスシステムにおいて現在通信している通信種別で要求される通信品質を、ハンドオーバー先候補の無線アクセスシステムが提供可能か否か、現在通信している通信種別で要求される通信品質を維持するために必要な無線リソース量を確保できるか否かを判断して、ハンドオーバー先の無線アクセスシステムを決定し、ハンドオーバーを実行することができる。そのため、異なる無線アクセスシステム間のハンドオーバーにおいて、ハンドオーバー後もハンドオーバー前に行っていた通信種別で要求される通信品質を維持することができる。尚、ハンドオーバー前に行っていた通信種別で要求される通信品質を維持するとは、ハンドオーバー前の通信品質以上を維持することをいい、通信品質が改善されることも含む。
【０００７】
更に、ハンドオーバー制御装置は、ハンドオーバー先候補の無線アクセスシステムに無線リソースの使用状況の提供を指示し、無線リソースの使用状況を収集する無線リソース使用状況収集部を備えることが好ましい。そして、ハンドオーバー先決定部は、収集された無線リソースの使用状況を用いて、ハンドオーバー先の無線アクセスシステムを決定することが好ましい。これによれば、ハンドオーバー制御装置は、ハンドオーバー先候補の無線アクセスシステムにおける無線リソースの使用状況を収集し、その収集した使用状況を予め考慮して、ハンドオーバー先の無線アクセスシステムを決定できる。
【０００８】
又、ハンドオーバー制御部は、ハンドオーバー先の無線アクセスシステムに対して、通信中の通信種別の通信品質に必要な必要無線リソースの確保を指示し、必要無線リソースが確保された場合にはハンドオーバーを行うよう制御し、必要無線リソースが確保できない場合にはハンドオーバー先決定部に確保不可を通知し、ハンドオーバー先決定部は、確保不可の通知を受けた場合にハンドオーバー先を再度決定するようにしてもよい。
【０００９】
これによれば、ハンドオーバー制御装置は、一度、ハンドオーバー先を決定して必要無線リソースの確保を指示し、必要無線リソースが確保できないという結果に基づいて、再度ハンドオーバー先を決定できる。しかも、ハンドオーバー制御装置は、必要無線リソースが確保された後にハンドオーバーを行うように制御できるため、より確実に通信品質を確保できる。
【００１０】
尚、このようにハンドオーバー先決定部がハンドオーバー先の無線アクセスシステムを決定するために、無線リソースの使用状況を用いるタイミングはいつでもよく、その用い方も限定されない。即ち、ハンドオーバー先決定部は、収集した無線リソースの使用状況を最初から用いて決定してもよく、現在の無線リソースの使用状況では必要無線リソースが確保できないという結果を用いて決定してもよい。
【００１１】
又、ハンドオーバー先決定部は、移動端末のユーザにより設定される通信種別毎の無線アクセスシステムの使用優先順位に基づいて、ハンドオーバー先の無線アクセスシステムを決定することが好ましい。これによれば、ハンドオーバー制御装置は、移動端末のユーザが通信種別毎に希望する使用優先順位も考慮して、ハンドオーバー先の無線アクセスシステムを決定できる。
【００１２】
更に、ハンドオーバー制御部は、ハンドオーバー先の無線アクセスシステムにハンドオーバーを行うことにより必要となるコアネットワークのネットワークリソースの確保を、そのネットワークリソースを管理するネットワークリソース管理装置に指示することが好ましい。これによれば、ハンドオーバーに伴って必要となる無線リソースだけでなく、コアネットワークのネットワークリソースも確保することができる。そのため、より確実にハンドオーバー後もハンドオーバー前に行っていた通信種別で要求される通信品質を維持することができる。
【００１３】
本発明に係る無線リソース管理装置は、異なる無線アクセスシステム間のハンドオーバーを制御するハンドオーバー制御装置による無線リソースの使用状況の提供の指示又は無線リソースの確保の指示の少なくとも１つに従って、無線リソースの使用状況のハンドオーバー制御装置への提供又は無線リソースの確保の少なくとも１つを行うことを特徴とする。
【００１４】
このような無線リソース管理装置によれば、ハンドオーバー制御装置に無線リソースの使用状況を提供したり、ハンドオーバー制御装置の指示に従ってハンドオーバーに伴って必要となる無線リソースを確保したりできる。よって、無線リソース管理装置は、ハンドオーバー制御装置による通信品質を考慮した、異なる無線アクセスシステム間のハンドオーバーの制御に寄与できる。よって、無線リソース管理装置は、ハンドオーバー前に行っていた通信種別で要求される通信品質の維持に寄与できる。
【００１５】
本発明に係るネットワークリソース管理装置は、異なる無線アクセスシステム間のハンドオーバーを制御するハンドオーバー制御装置によるコアネットワークのネットワークリソースの確保の指示に従って、ハンドオーバー先の無線アクセスシステムにハンドオーバーを行うことにより必要となるコアネットワークのネットワークリソースを確保することを特徴とする。
【００１６】
このようなネットワークリソース管理装置によれば、ハンドオーバー制御装置の指示に従って、ハンドオーバーに伴って必要となるネットワークリソースを確保できる。よって、ネットワークリソース管理装置は、ハンドオーバー制御装置による通信品質を考慮した、異なる無線アクセスシステム間のハンドオーバーの制御に寄与できる。よって、ネットワークリソース管理装置は、ハンドオーバー前に行っていた通信種別で要求される通信品質の維持に寄与できる。
【００１７】
本発明に係る移動通信システムは、移動端末が接続中の無線アクセスシステムにおいて通信中の通信種別の通信品質と、ハンドオーバー先候補の無線アクセスシステムにおける無線リソースの使用状況と、ハンドオーバー先候補の無線アクセスシステムが提供する通信種別の通信品質とに基づいて、ハンドオーバー先の無線アクセスシステムを決定し、その決定されたハンドオーバー先の無線アクセスシステムにハンドオーバーを行うよう制御するハンドオーバー制御装置と、ハンドオーバー制御装置による無線リソースの使用状況の提供の指示又は無線リソースの確保の指示の少なくとも１つに従って、無線リソースの使用状況のハンドオーバー制御装置への提供又は無線リソースの確保の少なくとも１つを行う無線リソース管理装置とを備えることを特徴とする。
【００１８】
更に、移動通信システムは、ハンドオーバー制御装置によるコアネットワークのネットワークリソースの確保の指示に従って、ハンドオーバー先の無線アクセスシステムにハンドオーバーを行うことにより必要となるコアネットワークのネットワークリソースを確保するネットワークリソース管理装置を備えることが好ましい。
【００１９】
本発明に係るハンドオーバー制御方法は、移動端末が接続中の無線アクセスシステムにおいて通信中の通信種別の通信品質と、ハンドオーバー先候補の無線アクセスシステムにおける無線リソースの使用状況と、ハンドオーバー先候補の無線アクセスシステムが提供する通信種別の通信品質とに基づいて、ハンドオーバー先の無線アクセスシステムを決定し、決定されたハンドオーバー先の無線アクセスシステムにハンドオーバーを行うよう制御することを特徴とする。
【００２０】
又、ハンドオーバー制御方法では、通信中の通信種別の通信品質に必要な必要無線リソースを、ハンドオーバー先の無線アクセスシステムにおいて確保することが好ましい。更に、ハンドオーバー制御方法では、ハンドオーバー先の無線アクセスシステムにハンドオーバーを行うことにより必要となるコアネットワークのネットワークリソースを確保することが好ましい。
【発明の効果】
【００２１】
以上説明したように、本発明によれば、異なる無線アクセスシステム間のハンドオーバーにおいて、ハンドオーバー後もハンドオーバー前に行っていた通信種別で要求される通信品質を維持することができる。
【発明を実施するための最良の形態】
【００２２】
〔第１の実施の形態〕
図１に示すように、移動通信システム１００は、ハンドオーバー制御装置２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。
【００２３】
移動端末４０は移動に伴い、ハンドオーバー制御装置２０の制御に従って、異なる無線アクセスシステムを跨がるハンドオーバーを行う。無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄは、移動端末４０と無線により接続を確立し、コアネットワーク１０と移動端末４０とを接続する。無線アクセスシステムには、例えば、Ｗ−ＣＤＭＡ（Wideband  Code  Division  Multiple  Access）を用いる無線アクセスシステム、無線ＬＡＮを用いる無線アクセスシステム、ＯＦＤＭ（Orthogonal  Frequency  Division  Multiplexing）を用いる無線アクセスシステム、ＰＨＳ（Personal  Handyphone  System）を用いる無線アクセスシステム等がある。
【００２４】
無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄはそれぞれ、無線リソース管理装置３１ａ，３１ｂ，３１ｃ，３１ｄと、複数の基地局３２ａ，３２ｂ，３２ｃ，３２ｄを備える。このように無線リソース管理装置３１ａ，３１ｂ，３１ｃ，３１ｄはそれぞれ、  無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄに設けられる。
【００２５】
無線リソース管理装置３１ａ，３１ｂ，３１ｃ，３１ｄはそれぞれ、ハンドオーバー制御装置２０による無線リソースの使用状況の提供の指示又は無線リソースの確保の指示の少なくとも１つに従って、無線リソース管理装置３１ａ，３１ｂ，３１ｃ，３１ｄが管理する無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄの無線リソースの使用状況のハンドオーバー制御装置２０への提供又は無線リソースの確保の少なくとも１つを行う。
【００２６】
無線リソース管理装置３１ａ，３１ｂ，３１ｃ，３１ｄはそれぞれ、各基地局３２ａ，３２ｂ，３２ｃ，３２ｄから、各基地局３２ａ，３２ｂ，３２ｃ，３２ｄの無線リソースの使用状況を取得する。無線リソース管理装置３１ａ，３１ｂ，３１ｃ，３１ｄは、空きリソース等の無線リソースの使用状況を定期的に取得しておいてもよく、ハンドオーバー制御装置２０からの指示があったときに取得してもよい。無線リソース管理装置３１ａ，３１ｂ，３１ｃ，３１ｄは、ハンドオーバー制御装置２０から無線リソースの使用状況の提供の指示を取得すると、各基地局３２ａ，３２ｂ，３２ｃ，３２ｄから取得した無線リソースの使用状況をハンドオーバー制御装置２０に提供する。
【００２７】
無線リソースには、周波数帯域、タイムスロット、無線チャネル等がある。使用状況は、無線リソースの使用量で表してもよく、使用可能な無線リソース量（空き状況）で表してもよい。
【００２８】
無線リソース管理装置３１ａ，３１ｂ，３１ｃ，３１ｄはそれぞれ、ハンドオーバー制御装置２０から必要無線リソースの確保の指示２を取得すると、各基地局３２ａ，３２ｂ，３２ｃ，３２ｄの無線リソースを確保する。無線リソース管理装置３１ａ，３１ｂ，３１ｃ，３１ｄは、指示された無線リソースを確保できたか否かを、確保結果通知３としてハンドオーバー制御装置２０に提供する。
【００２９】
ハンドオーバー制御装置２０は、異なる無線アクセスシステム間のハンドオーバーを制御する。ハンドオーバー制御装置２０は、コアネットワーク１０に設けられる。ハンドオーバー制御装置２０は、ハンドオーバー先決定部２１と、ハンドオーバー制御部２２と、無線リソース使用状況収集部２３と、システム情報データベース２４とを備える。
【００３０】
システム情報データベース２４は、無線アクセスシステムに関するシステム情報を保持する。システム情報には、無線アクセスシステムが提供可能な通信種別の通信品質と、その通信品質を確保するために必要な無線リソース量（以下「必要無線リソース」という）、料金等が含まれる。通信種別には、例えば、音声通話やパケット通信、動画通信等がある。通信品質には、伝送速度、誤り率、許容遅延、パケットロス率、遅延ゆらぎ等がある。
【００３１】
システム情報データベース２４は、無線アクセスシステム毎、通信種別毎に、通信品質と必要無線リソースを保持する。無線アクセスシステム毎、通信種別毎の通信品質は、例えば、各無線アクセスシステムにおいて設計した通信種別毎の通信品質の設計値（以下「品質設計値」という）で示すことができる。尚、通信種別毎に重視される通信品質の種類は異なっている。例えば、音声通話では許容遅延が重視され、パケット通信ではパケットロス率が重視される。そのため、システム情報データベース２４が保持する通信品質の種類は、無線アクセスシステム毎、通信種別毎に異なっていてもよい。又、システム情報データベース２４が保持する無線アクセスシステム毎、通信種別毎の通信品質の種類は複数であってもよく、１つであってもよい。
【００３２】
図２に、システム情報データベース２４の一例を示す。無線アクセスシステム名は、無線アクセスシステムの識別情報である。無線アクセスシステムの識別情報としては、無線アクセスシステムＩＤ等を用いてもよい。通信種別ＩＤは、通信種別の識別情報である。本実施形態では、通信種別ＩＤ「＃１」は音声通話を表し、通信種別ＩＤ「＃２」はパケット通信を表す。「×」は、その無線アクセスシステムではその通信種別を提供していないことを示す。
【００３３】
図２に示すシステム情報データベース２４は、例えば、無線アクセスシステム（＃Ａ）３０ａにおける通信種別ＩＤ「＃１」の音声通話の品質設計値は「Ｘ１〜Ｘ２」、必要無線リソースは「Ｒ１１〜Ｒ１２」であるというシステム情報や、無線アクセスシステム（＃Ｂ）３０ｂは通信種別ＩＤ「＃２」のパケット通信を提供していないというシステム情報を保持する。図２に示したシステム情報データベース２４の例では、無線アクセスシステム毎、通信種別毎に、１つの通信品質についての必要無線リソースを保持しているが、無線アクセスシステム毎、通信種別毎に、複数の通信品質について通信品質毎の必要無線リソースを保持するようにしてもよい。
【００３４】
ハンドオーバー先決定部２１は、移動端末４０が接続中の無線アクセスシステム（以下「接続システム」という）において通信中の通信種別の通信品質と、ハンドオーバー先候補の無線アクセスシステムにおける無線リソースの使用状況と、ハンドオーバー先候補の無線アクセスシステムが提供する通信種別の通信品質とに基づいて、ハンドオーバー先の無線アクセスシステムを決定する。
【００３５】
ハンドオーバー先決定部２１は、移動端末４０から、ハンドオーバー先候補の無線アクセスシステムの通知（以下「ハンドオーバー先候補通知」という）を取得する。この移動端末４０によるハンドオーバー先候補通知１が、ハンドオーバーのトリガとなり、ハンドオーバー先決定部２１は、ハンドオーバー先候補通知１を取得することにより、移動端末４０がハンドオーバーが必要な状況にあることを検出する。ハンドオーバー先候補の無線アクセスシステムとは、移動端末４０が電波を受信可能であり、接続可能である基地局が存在する無線アクセスシステムである。そのため、接続システムもハンドオーバー先候補に含まれる場合がある。移動端末４０は、各基地局３２ａ，３２ｂ，３２ｃ，３２ｄが送信する電波を受信し、接続可能な基地局を検出し、ハンドオーバー先候補通知１を送信する機能を備える。
【００３６】
ハンドオーバー先候補通知１には、ハンドオーバー先候補を示す情報と、現在通信中の通信種別、移動端末４０の識別情報等が含まれる。ハンドオーバー先候補を示す情報には、ハンドオーバー先候補の無線アクセスシステムの識別情報と、移動端末４０が接続可能な基地局の識別情報と、移動端末４０が基地局から受信する電波の受信品質等とを対応付けた情報等がある。基地局の識別情報には、基地局番号等がある。移動端末４０の識別情報には、ユーザＩＤや移動端末番号等がある。ハンドオーバー先決定部２１は、例えば、図３に示すようなハンドオーバー先候補を示す情報を含むハンドオーバー先候補通知１を取得する。ハンドオーバー先候補を示す情報は、無線アクセスシステム名と、移動端末４０が接続可能な基地局の基地局番号と、その基地局からの電波の受信品質とを対応付けたものとなっている。
【００３７】
ハンドオーバー先決定部２１は、ハンドオーバー先候補となるための受信品質の閾値を保持する。そして、ハンドオーバー先決定部２１は、ハンドオーバー先候補通知１に含まれる受信品質と閾値とを比較する。ハンドオーバー先決定部２１は、受信品質が閾値以上である無線アクセスシステムをハンドオーバー先候補と判断する。例えば、図３の場合、ハンドオーバー先決定部２１は、受信品質の閾値と各受信品質Ｐ（Ａ）、Ｐ（Ｂ）、Ｐ（Ｃ）、Ｐ（Ｄ）とを比較し、受信品質Ｐ（Ａ）、Ｐ（Ｂ）、Ｐ（Ｃ）が閾値以上の場合、移動端末４０のハンドオーバー先候補は、無線アクセスシステム（＃Ａ）３０ａ、無線アクセスシステム（＃Ｂ）３０ｂ、無線アクセスシステム（＃Ｃ）３０ｃであると判断する。以下、ハンドオーバー先候補が、無線アクセスシステム（＃Ａ）３０ａ、無線アクセスシステム（＃Ｂ）３０ｂ、無線アクセスシステム（＃Ｃ）３０ｃと判断された場合を例にとって説明する。
【００３８】
ハンドオーバー先決定部２１は、ハンドオーバー先候補通知１に基づいて、無線リソース使用状況収集部２３に、ハンドオーバー先候補の無線アクセスシステムにおける無線リソースの使用状況を収集するよう指示する。そして、ハンドオーバー先決定部２１は、無線リソース使用状況収集部２３から、ハンドオーバー先候補の無線アクセスシステムにおける無線リソースの使用状況を取得する。更に、ハンドオーバー先決定部２１は、ハンドオーバー先候補の無線アクセスシステムに関するシステム情報を、システム情報データベース２４から取得する。
【００３９】
ハンドオーバー先決定部２１は、まず、システム情報の品質設計値に基づいて、接続システムにおいて現在通信している通信種別で要求される通信品質を提供可能な無線アクセスシステムを、ハンドオーバー先候補の無線アクセスシステムの中から選択する。以下、品質設計値に基づいてハンドオーバー先候補の中から選択される、接続システムにおいて現在通信している通信種別で要求される通信品質を提供可能な無線アクセスシステムを「提供可能システム」という。
【００４０】
ハンドオーバー先決定部２１は、各通信種別において最低限要求される通信品質の下限値（以下「最低品質」という）と、通信品質の目標値（以下「目標品質」という）を記憶する。目標品質は、例えば、移動端末４０が快適に通信できる通信品質を設定できる。ハンドオーバー先決定部２１は、提供可能システムとして、少なくとも最低品質を提供可能な無線アクセスシステムを選択してもよく、接続システムが提供する通信品質以上を提供可能な無線アクセスシステムを選択してもよい。
【００４１】
例えば、図４に示すように、接続システムが無線アクセスシステム（＃Ａ）３０ａであり、ハンドオーバー先候補が無線アクセスシステム（＃Ｂ）３０ｂ、無線アクセスシステム（＃Ｃ）３０ｃ、無線アクセスシステム（＃Ｄ）３０ｄの場合を例にとって説明する。図４において、縦軸は通信品質を表し、目標品質、最低品質は、現在通信中の通信種別で要求されている目標品質と最低品質を表している。尚、この縦軸の通信品質は、例えば、誤り率、許容遅延、パケットロス率、遅延ゆらぎ等の１つであり、各無線アクセスシステムの品質設計値は通信種別によって異なる。
【００４２】
ハンドオーバー先決定部２１は、少なくとも最低品質を提供可能な無線アクセスシステムを選択する場合には、図４に示す最低品質以上の品質設計値を持つ無線アクセスシステム（＃Ｂ）３０ｂと無線アクセスシステム（＃Ｃ）３０ｃを選択する。又、ハンドオーバー先決定部２１は、接続システムが提供する通信品質以上を提供可能な無線アクセスシステムを選択する場合には、無線アクセスシステム（＃Ａ）３０ａの品質設計値以上の品質設計値を持つ無線アクセスシステム（＃Ｂ）３０ｂを選択する。
【００４３】
例えば、接続システムがＷ−ＣＤＭＡによりパケット通信を提供している無線アクセスシステムである場合に、現在よりも伝送速度が高速なパケット通信を利用するために、ハンドオーバー先決定部２１は、提供可能システムとして、無線ＬＡＮによりパケット通信を提供している無線アクセスシステムを選択すること等が可能である。尚、少なくとも最低品質を提供可能な無線アクセスシステムを選択するか、接続システムが提供する通信品質以上を提供可能な無線アクセスシステムを選択するかは、移動端末４０がいずれかを指定したハンドオーバー先候補通知を提供し、ハンドオーバー先決定部２１がその指定に従ってもよく、ハンドオーバー先決定部２１において予め設定しておいてもよい。
【００４４】
次に、ハンドオーバー先決定部２１は、収集したハンドオーバー先候補の無線アクセスシステムにおける無線リソースの使用状況と必要無線リソースに基づいて、提供可能システムの中から、現在通信している通信種別で要求される通信品質を維持するために必要な無線リソース量を確保できる無線アクセスシステムを、ハンドオーバー先の無線アクセスシステムに決定する。
【００４５】
例えば、ハンドオーバー先決定部２１が提供可能システムとして、無線アクセスシステム（＃Ｂ）３０ｂと無線アクセスシステム（＃Ｃ）３０ｃを選択した場合に、無線アクセスシステム（＃Ｂ）３０ｂ、無線アクセスシステム（＃Ｃ）３０ｃそれぞれについて無線リソースの使用状況と必要無線リソースを比較する。ハンドオーバー先決定部２１は、その比較結果に基づいて、例えば、無線アクセスシステム（＃Ｃ）３０ｃだけが必要無線リソースを確保できると判断した場合には、無線アクセスシステム（＃Ｃ）３０ｃをハンドオーバー先の無線アクセスシステムに決定する。ハンドオーバー先決定部２１は、決定した無線アクセスシステムを、ハンドオーバー先候補通知と対応付けてハンドオーバー制御部２２に通知する。
【００４６】
尚、ハンドオーバー先決定部２１は、必要無線リソースを確保できる無線アクセスシステムが複数存在する場合には、その中から任意の無線アクセスシステムをハンドオーバー先に決定してもよく、その中で最も高い通信品質を提供可能な無線アクセスシステムをハンドオーバー先に決定してもよく、その中で最も無線リソースの使用状況に余裕のある無線アクセスシステムをハンドオーバー先に決定してもよい。反対に、ハンドオーバー先決定部２１は、必要無線リソースを確保できる無線アクセスシステムが存在しない場合には、所定時間待機後、再度、ハンドオーバー先を決定してもよく、移動端末４０に通信品質を維持できるハンドオーバー先が存在しないことを通知してもよい。
【００４７】
更に、ハンドオーバー先決定部２１は、複数の通信品質を考慮してハンドオーバー先を決定することもできる。例えば、通信種別が動画通信の場合に、品質設計値として許容遅延とパケットロス率の両方が設定されているとする。この場合には、ハンドオーバー先決定部２１は、現在通信している動画通信で要求される許容遅延とパケットロス率の両方を提供可能な無線アクセスシステムを提供可能システムとして選択する。そして、ハンドオーバー先決定部２１は、提供可能システムのうち、現在通信している動画通信における許容遅延を維持するために必要な無線リソース量と、パケットロス率を維持するために必要な無線リソース量のいずれか多い方の無線リソース量を確保できる無線アクセスシステムをハンドオーバー先の無線アクセスシステムに決定する。
【００４８】
無線リソース使用状況収集部２３は、ハンドオーバー先候補の無線アクセスシステムに無線リソースの使用状況の提供を指示し、無線リソースの使用状況を収集する。無線リソース使用状況収集部２３は、ハンドオーバー先決定部２１から、ハンドオーバー先候補の無線アクセスシステムにおける無線リソースの使用状況の収集の指示を取得する。
【００４９】
無線リソース使用状況収集部２３は、ハンドオーバー先候補の無線アクセスシステムの無線リソース管理装置３１ａ，３１ｂ，３１ｃ，３１ｄに、無線リソースの使用状況の提供を、提供の指示を送信して指示する。そして、無線リソース使用状況収集部２３は、無線リソース管理装置３１ａ，３１ｂ，３１ｃ，３１ｄから、各基地局３２ａ，３２ｂ，３２ｃ，３２ｄの無線リソースの使用状況を各無線アクセスシステムの使用状況として取得する。無線リソース使用状況収集部２３は、取得した無線リソースの使用状況をハンドオーバー先決定部２１に入力する。
【００５０】
ハンドオーバー制御部２２は、決定されたハンドオーバー先の無線アクセスシステムにハンドオーバーを行うよう制御する。ハンドオーバー制御部２２は、ハンドオーバー先決定部２１から、ハンドオーバー先候補通知と対応付けられた、決定されたハンドオーバー先の無線アクセスシステムの通知を取得する。まず、ハンドオーバー制御部２２は、決定されたハンドオーバー先の無線アクセスシステムに対して、必要無線リソースの確保を指示する。
【００５１】
ハンドオーバー制御部２２は、決定されたハンドオーバー先の無線アクセスシステムの無線リソース管理装置に、必要無線リソースの確保の指示２を送信し、確保を指示する。そして、ハンドオーバー制御部２２は、確保結果通知３を無線リソース管理装置３１ａ，３１ｂ，３１ｃ，３１ｄから取得する。ハンドオーバー制御部２２は、確保結果通知が無線リソースを確保できたことを示す場合には、決定されたハンドオーバー先の無線アクセスシステムへのハンドオーバーを、移動端末４０、ハンドオーバー先の無線アクセスシステムの基地局又は無線リソース管理装置の少なくとも１つに、切り替え指示４を送信して指示する。これにより、ハンドオーバー制御装置２０は、必要無線リソースが確保された後にハンドオーバーを行うように制御できるため、より確実に通信品質を確保できる。
【００５２】
具体的には、ハンドオーバー制御部２２は、ハンドオーバー先候補通知から、接続可能な基地局の識別情報と、移動端末４０の識別情報を取得する。ハンドオーバー制御部２２は、移動端末４０に指示する場合には、決定されたハンドオーバー先の無線アクセスシステムにおいて接続可能な基地局の識別情報を示し、その基地局へのハンドオーバーを指示する。ハンドオーバー制御部２２は、基地局又は無線リソース管理装置に指示する場合には、決定されたハンドオーバー先の無線アクセスシステムにおいて接続可能な基地局に、移動端末４０の識別情報を示し、移動端末４０をその無線アクセスシステムにハンドオーバーさせるように指示する。このようにしてハンドオーバー制御部２２は、決定されたハンドオーバー先の無線アクセスシステムにハンドオーバーを行うよう制御できる。
【００５３】
尚、ハンドオーバー先候補通知１、必要無線リソースの確保の指示２、確保結果通知３、切り替え指示４等は、図１中点線で示される制御データとしてやりとりされる。
【００５４】
次に、移動通信システム１００におけるハンドオーバー制御方法の手順を図５を用いて説明する。ハンドオーバー制御装置２０は、移動端末４０から送信されるハンドオーバー先候補通知１を取得する（Ｓ１０１）。ハンドオーバー制御装置２０は、システム情報と無線リソースの使用状況を用い、移動端末４０が接続システムにおいて通信中の通信種別の通信品質と、ハンドオーバー先候補の無線アクセスシステムが提供する通信種別の通信品質とに基づいて、提供可能システムを選択する（Ｓ１０２）。
【００５５】
ハンドオーバー制御装置２０は、ハンドオーバー先候補通知に基づいて、ハンドオーバー先候補の無線アクセスシステムの無線リソースの使用状況を収集する（Ｓ１０３）。ハンドオーバー制御装置２０は、ハンドオーバー先候補の無線アクセスシステムにおける無線リソースの使用状況に基づいて、提供可能システムの中から、通信中の通信種別の必要無線リソースを確保できる無線アクセスシステムを、ハンドオーバー先の無線アクセスシステムに決定する（Ｓ１０４）。
【００５６】
ハンドオーバー制御装置２０は、決定したハンドオーバー先の無線アクセスシステムの無線リソース管理装置に必要無線リソースの確保を指示する（Ｓ１０５）。そして、ハンドオーバー制御装置２０は、無線アクセスシステムの無線リソース管理装置から無線リソースを確保できたことを示す確保結果通知を取得後、決定されたハンドオーバー先の無線アクセスシステムへのハンドオーバーを、移動端末４０、ハンドオーバー先の無線アクセスシステムの基地局又は無線リソース装置の少なくとも１つに指示する（Ｓ１０６）。尚、ステップ（Ｓ１０１）とステップ（Ｓ１０２）の順番は逆でもよい。
【００５７】
このような移動通信システム１００、ハンドオーバー制御装置２０、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄ及びハンドオーバー制御方法によれば、移動端末４０が接続システムにおいて現在通信している通信種別で要求される通信品質を、ハンドオーバー先候補の無線アクセスシステムが提供可能か否か、現在通信している通信種別で要求される通信品質を維持するために必要な無線リソース量を確保できるか否かを判断して、ハンドオーバー先の無線アクセスシステムを決定し、ハンドオーバーを実行することができる。
【００５８】
そのため、異なる無線アクセスシステム間のハンドオーバーにおいて、ハンドオーバー後もハンドオーバー前に行っていた通信種別で要求される通信品質を維持することができる。このように、異なる無線アクセスシステム間のハンドオーバーにおいて、ハンドオーバー後の通信品質を考慮したハンドオーバーの制御を行うことにより、移動端末４０に良好な通信状態を提供することが可能となる。
【００５９】
更に、ハンドオーバー制御装置２０は、無線リソースの使用状況を収集する無線リソース使用状況収集部２３を備える。そして、ハンドオーバー先決定部２１は、収集された無線リソースの使用状況を用いて、ハンドオーバー先の無線アクセスシステムを決定する。そのため、ハンドオーバー制御装置２０は、ハンドオーバー先候補の無線アクセスシステムにおける無線リソースの使用状況を収集し、その収集した使用状況を最初から用い、予め考慮してハンドオーバー先の無線アクセスシステムを決定できる。即ち、ハンドオーバー制御装置２０は、複数のハンドオーバー先候補の無線リソースの使用状況を確認して、ハンドオーバー先を決定できる。
【００６０】
又、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄにそれぞれ設けられた無線リソース管理装置３１ａ，３１ｂ，３１ｃ，３１ｄによれば、ハンドオーバー制御装置２０に無線リソースの使用状況を提供したり、ハンドオーバー制御装置２０の指示に従ってハンドオーバーに伴って必要となる無線リソースを確保したりできる。よって、無線リソース管理装置３１ａ，３１ｂ，３１ｃ，３１ｄは、ハンドオーバー制御装置２０による通信品質を考慮した、異なる無線アクセスシステム間のハンドオーバーの制御に寄与できる。そのため、無線リソース管理装置３１ａ，３１ｂ，３１ｃ，３１ｄは、ハンドオーバー前に行っていた通信種別で要求される通信品質の維持に寄与できる。
【００６１】
〔第２の実施の形態〕
図６に示すように、移動通信システム２００は、ハンドオーバー制御装置２２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置２２０は、ハンドオーバー先決定部２２１と、ハンドオーバー制御部２２２と、システム情報データベース２４とを備える。図６において、図１に示した移動通信システム１００と実質的に同様の構成については、同一の符号を付して説明を省略する。
【００６２】
ハンドオーバー先決定部２２１は、図１に示したハンドオーバー先決定部２１と同様にして、提供可能システムを選択する。そして、ハンドオーバー先決定部２２１は、提供可能システムが１つの場合には、その無線アクセスシステムをハンドオーバー先に決定する。ハンドオーバー先決定部２２１は、提供可能システムが複数存在する場合には、その中から任意の無線アクセスシステムをハンドオーバー先に決定してもよく、その中で最も高い通信品質を提供可能な無線アクセスシステムをハンドオーバー先に決定してもよい。以下、ハンドオーバー先決定部２２１が最初に決定したハンドオーバー先の無線アクセスシステムを「第１ハンドオーバー先」という。ハンドオーバー先決定部２２１は、第１ハンドオーバー先をハンドオーバー先候補通知と対応付けてハンドオーバー制御部２２２に通知する。
【００６３】
ハンドオーバー制御部２２２は、ハンドオーバー先決定部２２１から、ハンドオーバー先候補通知と対応付けられた、第１ハンドオーバー先の通知を取得する。まず、ハンドオーバー制御部２２２は、図１に示したハンドオーバー制御部２２と同様にして、第１ハンドオーバー先に対して必要無線リソースの確保を指示する。そして、ハンドオーバー制御部２２２は、確保結果通知を無線リソース管理装置３１ａ，３１ｂ，３１ｃ，３１ｄから取得する。
【００６４】
ハンドオーバー制御部２２２は、確保結果通知が必要無線リソースを確保できたことを示す場合には、移動端末４０又は第１ハンドオーバー先の基地局に指示することにより、第１ハンドオーバー先にハンドオーバーを行うよう制御する。一方、ハンドオーバー制御部２２２は、確保結果通知が必要無線リソースが確保できなかったことを示す場合にはハンドオーバー先決定部２２１に確保不可を通知する。
【００６５】
ハンドオーバー先決定部２２１は、確保不可の通知を受けた場合には、ハンドオーバー先の無線アクセスシステムを再度決定する。ハンドオーバー先決定部２２１は、提供可能システムが複数存在した場合には、第１ハンドオーバー先に決定しなかった提供可能システムの中から新たなハンドオーバー先を決定する。この場合も、その中から任意の無線アクセスシステムをハンドオーバー先に決定してもよく、その中で最も高い通信品質を提供可能な無線アクセスシステムをハンドオーバー先に決定してもよい。
【００６６】
一方、ハンドオーバー先決定部２２１は、提供可能システムが一つだけだった場合には、移動端末４０に通信品質を維持できるハンドオーバー先が存在しないことを通知してもよく、所定時間待機後、再度、第１ハンドオーバー先をハンドオーバー先の無線アクセスシステムとして決定してもよい。以下、ハンドオーバー先決定部２２１が再度決定したハンドオーバー先の無線アクセスシステムを「第２ハンドオーバー先」という。ハンドオーバー先決定部２２１は、第２ハンドオーバー先をハンドオーバー先候補通知と対応付けてハンドオーバー制御部２２２に通知する。
【００６７】
ハンドオーバー制御部２２２は、第２ハンドオーバー先に対して必要無線リソースの確保を指示し、確保結果通知を無線リソース管理装置３１ａ，３１ｂ，３１ｃ，３１ｄから取得する。このように、ハンドオーバー制御部２２２も、必要無線リソースの確保を再度行う。ハンドオーバー制御部２２２は、確保結果通知が必要無線リソースを確保できたことを示す場合には、第２ハンドオーバー先にハンドオーバーを行うよう制御する。
【００６８】
一方、ハンドオーバー制御部２２２は、必要無線リソースが確保できなかった場合には、ハンドオーバー先決定部２２１に確保不可を再度通知する。ハンドオーバー先決定部２２１は、例えば、所定回数又は所定時間、ハンドオーバー先の無線アクセスシステムの決定を行い、所定回数又は所定時間に達しても、必要無線リソースを確保できない場合には、移動端末４０に通信品質を維持できるハンドオーバー先が存在しないことを通知できる。あるいは、ハンドオーバー先決定部２２１は、提供可能システムがなくなった時点で、移動端末４０に通信品質を維持できるハンドオーバー先が存在しないことを通知してもよい。尚、ハンドオーバー先決定部２２１、ハンドオーバー制御部２２２は、これらの点以外は、図１に示したハンドオーバー先決定部２１、ハンドオーバー制御部２２と実質的に同様である。
【００６９】
次に、移動通信システム２００におけるハンドオーバー制御方法の手順を図７を用いて説明する。ハンドオーバー制御装置２２０は、図５に示したステップ（Ｓ１０１）、（Ｓ１０２）と同様のステップ（Ｓ２０１）、（Ｓ２０２）を行う。ハンドオーバー制御装置２２０は、提供可能システムの中から、ハンドオーバー先の無線アクセスシステム、即ち、第１ハンドオーバ先を決定する（Ｓ２０３）。
【００７０】
ハンドオーバー制御装置２２０は、決定した第１ハンドオーバー先の無線リソースを管理する無線リソース管理装置に必要無線リソースの確保を指示する。そして、ハンドオーバー制御装置２２０は、第１ハンドオーバー先の無線リソース管理装置から確保結果通知を取得し、必要無線リソースを確保できたか否かを判断する（Ｓ２０４）。ステップ（Ｓ２０４）において、必要無線リソースが確保できた場合には、ハンドオーバー制御装置２２０は、第１ハンドオーバー先へのハンドオーバーを移動端末４０又は第１ハンドオーバー先の基地局に指示する（Ｓ２０５）。
【００７１】
一方、ステップ（Ｓ２０４）において、必要無線リソースが確保できなかった場合には、ハンドオーバー制御装置２２０は、ステップ（Ｓ２０３）に戻り、再度、ハンドオーバー先の無線アクセスシステム、即ち、第２ハンドオーバー先を決定する。ハンドオーバー制御装置２２０は、現在の無線リソースの使用状況では、第１ハンドオーバ先では必要無線リソースが確保できないという結果に基づいて、提供可能システムの中から第２ハンドオーバー先を決定する。そして、ハンドオーバー制御装置２２０は、再度、ステップ（Ｓ２０４）に進み、第２ハンドオーバー先の必要無線リソースの確保を試みる。
【００７２】
このような移動通信システム２００、ハンドオーバー制御装置２２０及びハンドオーバー制御方法によれば、図１、５に示した移動通信システム１００、ハンドオーバー制御装置２０及びハンドオーバー制御方法によって得られる効果に加えて、以下のような効果を得ることができる。
【００７３】
ハンドオーバー制御部２２２は、決定されたハンドオーバー先の無線アクセスシステムの無線リソース管理装置に対して、通信中の通信種別の通信品質に必要な必要無線リソースの確保を指示し、必要無線リソースが確保された場合にはハンドオーバーを行うよう制御し、必要無線リソースが確保できなかった場合にはハンドオーバー先決定部２２１に確保不可を通知する。そして、ハンドオーバー先決定部２２１は、確保不可の通知を受けた場合にハンドオーバー先を再度決定する。
【００７４】
そのため、ハンドオーバー制御装置２２０は、一度、ハンドオーバー先を決定して必要無線リソースの確保を指示し、必要無線リソースが確保できなかったという結果に基づいて、再度ハンドオーバー先を決定できる。即ち、ハンドオーバー制御装置２２０は、現在の無線リソースの使用状況では必要無線リソースが確保できないという結果を用いて、ハンドオーバー先を決定することができる。しかも、ハンドオーバー制御装置２２０は、必要無線リソースが確保された後にハンドオーバーを行うように制御できるため、より確実に通信品質を確保できる。
【００７５】
〔第３の実施の形態〕
図８に示すように、移動通信システム３００は、ハンドオーバー制御装置３２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置３２０は、ハンドオーバー先決定部３２１と、ハンドオーバー制御部２２２と、システム情報データベース２４と、優先順位データベース２５と、優先順位取得部２６とを備える。図８において、図１、図６に示した移動通信システム１００，２００と実質的に同様の構成については、同一の符号を付して説明を省略する。
【００７６】
優先順位データベース２５は、移動端末４０のユーザにより設定される通信種別毎の無線アクセスシステムの使用優先順位を保持する。優先順位データベース２５は、移動端末４０のユーザ毎、通信種別毎に、使用優先順位を保持する。又、優先順位データベース２５は、ユーザが使用優先順位の設定に用いた設定基準も保持するようにしてもよい。図９に、優先順位データベース２５の一例を示す。優先順位データベース２５は、ユーザＩＤ等の移動端末４０の識別情報に対応付けて、通信種別毎の使用優先順位とその設定基準を保持する。具体的には、優先順位データベース２５は、ユーザＩＤに対応付けられたユーザ毎の優先順位テーブル２５ａ，２５ｂ〜２５ｎを複数保持する。
【００７７】
各優先順位テーブル２５ａ〜２５ｎは、通信種別毎の使用優先順位を保持する。尚、「×」は、その無線アクセスシステムではその通信種別を提供していないことを示す。図９に示す優先順位データベース２５は、例えば、ユーザＩＤが「＃ａ」の移動端末４０の通信種別ＩＤ「＃１」についての使用優先順位として、無線アクセスシステム（＃Ｂ）が一位、無線アクセスシステム（＃Ａ）が二位、無線アクセスシステム（＃Ｄ）が三位を保持する。又、優先順位データベース２５は、ユーザＩＤが「＃ａ」の移動端末４０のユーザが用いた設定基準として、通信種別ＩＤ「＃１」については「許容遅延」、通信種別ＩＤ「＃２」については「パケットロス率」を保持する。
【００７８】
優先順位取得部２６は、移動端末４０のユーザが設定した通信種別毎の無線アクセスシステムの使用優先順位やその設定基準を、移動端末４０から取得する。優先順位取得部２６は、取得した使用優先順位を優先順位データベース２５に格納する。移動端末４０のユーザは、通信種別毎に、その品質設計値や料金等の観点から無線アクセスシステムの使用優先順位を設定することができる。尚、優先順位取得部２６は、例えば、移動端末４０のユーザが契約時等に設定した使用優先順位を、通信事業者による外部入力等により取得してもよい。
【００７９】
優先順位取得部２６は、システム情報データベース２４を参照し、無線アクセスシステムが提供していない通信種別には、移動端末４０のユーザが優先順位を設定した場合であっても優先順位を優先順位データベース２５に格納しないようにする。これにより優先順位に空きが生じる場合には、優先順位取得部２６は優先順位を繰り上げる。例えば、図９に示す優先順位データベース２５の場合には、優先順位取得部２６は、無線アクセスシステムが提供していない通信種別には「×」を格納し、優先順位を繰り上げる。又、優先順位取得部２６は、システム情報データベース２４からシステム情報を取得し、移動端末４０のユーザが使用優先順位を設定する際の参考として、移動端末４０に提供してもよい。
【００８０】
ハンドオーバー先決定部３２１は、図１に示したハンドオーバー先決定部２１と同様にして、提供可能システムを選択する。そして、ハンドオーバー先決定部３２１は、提供可能システムの中から、使用優先順位に基づいてハンドオーバー先の無線アクセスシステム、即ち、第１ハンドオーバー先を決定する。ハンドオーバー先決定部３２１は、提供可能システムの中から、接続システムにおいて現在通信している通信種別の使用優先順位が最も高い無線アクセスシステムを第１ハンドオーバー先に決定する。ハンドオーバー先決定部３２１は、ハンドオーバー先候補通知から移動端末４０の識別情報を取得する。ハンドオーバー先決定部３２１は、移動端末４０の識別情報に基づいて、優先順位データベース２５からその移動端末４０のユーザの優先順位を取得し、ハンドオーバー先の無線アクセスシステムの決定に用いる。
【００８１】
例えば、ハンドオーバー先候補通知が図３に示した情報と、ユーザＩＤ「＃ａ」と、通信中の通信種別を示す通信種別ＩＤ「＃１」を含み、システム情報データベース２４が図２に示すシステム情報を、優先順位データベース２５が図９に示す使用優先順位を保持する場合、ハンドオーバー先決定部３２１は、図１０に示すように、提供可能システムとして無線アクセスシステム（＃Ａ）３０ａと無線アクセスシステム（＃Ｂ）３０ｂを選択する。更に、ハンドオーバー先決定部３２１は、ユーザＩＤ「＃ａ」の移動端末４０のユーザが設定する通信種別ＩＤ「＃１」の使用優先順位が一位の無線アクセスシステム（＃Ｂ）３０ｂを、第１ハンドオーバー先に決定する。
【００８２】
尚、提供可能システムが１つの場合には、ハンドオーバー先決定部３２１は、その無線アクセスシステムを第１ハンドオーバー先に決定する。ハンドオーバー先決定部３２１は、第１ハンドオーバー先をハンドオーバー先候補通知と対応付けてハンドオーバー制御部２２２に通知する。
【００８３】
ハンドオーバー先決定部３２１は、ハンドオーバー制御部２２２から確保不可の通知を受けた場合には、ハンドオーバー先の無線アクセスシステムを再度決定する。ハンドオーバー先決定部３２１は、提供可能システムの中から、通信中の通信種別において、第１ハンドオーバー先の次に使用優先順位が高い無線アクセスシステムを、第２ハンドオーバー先に決定する。例えば、図１０の場合、ハンドオーバー先決定部３２１は、ユーザＩＤ「＃ａ」の移動端末４０のユーザが設定する通信種別ＩＤ「＃１」の使用優先順位が二位の無線アクセスシステム（＃Ａ）３０ａを、第２ハンドオーバー先に決定する。ハンドオーバー先決定部３２１は、第２ハンドオーバー先をハンドオーバー先候補通知と対応付けてハンドオーバー制御部２２２に通知する。
【００８４】
尚、ハンドオーバー先決定部３２１は、提供可能システムが一つだけだった場合には、図６に示したハンドオーバー先決定部２２１と同様の処理を行うことができる。又、ハンドオーバー先決定部３２１は、ハンドオーバー制御部２２２から確保不可の通知を再度受けた場合にも、図６に示したハンドオーバー先決定部２２１と同様の処理を行うことができる。又、ハンドオーバー先決定部３２１は、これらの点以外は、図１に示したハンドオーバー先決定部２１と実質的に同様である。
【００８５】
次に、移動通信システム３００におけるハンドオーバー制御方法の手順を図１１を用いて説明する。ハンドオーバー制御装置３２０は、図５に示したステップ（Ｓ１０１）、（Ｓ１０２）と同様のステップ（Ｓ３０１）、（Ｓ３０２）を行う。ハンドオーバー制御装置３２０は、提供可能システムの中から、接続システムにおいて現在通信している通信種別の使用優先順位が最も高い無線アクセスシステムを第１ハンドオーバー先に決定する（Ｓ３０３）。
【００８６】
ハンドオーバー制御装置３２０は、図７に示したステップ（Ｓ２０４）、（Ｓ２０５）と同様のステップ（Ｓ３０４）、（Ｓ３０５）を行う。ステップ（Ｓ３０４）において、必要無線リソースが確保できなかった場合には、ハンドオーバー制御装置３２０は、ステップ（Ｓ３０３）に戻り、現在の無線リソースの使用状況では、第１ハンドオーバ先では必要無線リソースが確保できないという結果に基づいて、提供可能システムの中から、通信中の通信種別において、第１ハンドオーバー先の次に使用優先順位が高い無線アクセスシステムを、第２ハンドオーバー先に決定する。そして、ハンドオーバー制御装置３２０は、再度、ステップ（Ｓ３０４）に進み、第２ハンドオーバー先の必要無線リソースの確保を試みる。
【００８７】
このような移動通信システム３００、ハンドオーバー制御装置３２０及びハンドオーバー制御方法によれば、図１、５〜７に示した移動通信システム１００，２００、ハンドオーバー制御装置２０，２２０及びハンドオーバー制御方法によって得られる効果に加えて、以下のような効果を得ることができる。ハンドオーバー制御装置３２０は、移動端末４０のユーザが通信種別毎に希望する使用優先順位も考慮して、ハンドオーバー先の無線アクセスシステムを決定できる。よって、移動端末４０のユーザが希望する無線アクセスシステムを用いて、移動端末４０に良好な通信状態を提供することが可能となる。
【００８８】
〔第４の実施の形態〕
図１２に示すように、移動通信システム４００は、ハンドオーバー制御装置４２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置４２０は、ハンドオーバー先決定部４２１と、ハンドオーバー制御部２２２と、無線リソース使用状況収集部２３と、システム情報データベース２４とを備える。図１２において、図１、図６に示した移動通信システム１００，２００と実質的に同様の構成については、同一の符号を付して説明を省略する。
【００８９】
ハンドオーバー先決定部４２１は、図１に示したハンドオーバー先決定部２１と同様にして、提供可能システムを選択する。次に、ハンドオーバー先決定部４２１は、図１に示したハンドオーバー先決定部２１と同様にして、収集したハンドオーバー先候補の無線アクセスシステムにおける無線リソースの使用状況と必要無線リソースに基づいて、提供可能システムの中から、必要無線リソースを確保できる無線アクセスシステムを、ハンドオーバー先の無線アクセスシステムに決定する。ハンドオーバー先決定部４２１は、決定した無線アクセスシステムを、ハンドオーバー先候補通知と対応付けてハンドオーバー制御部２２２に通知する。
【００９０】
その後、ハンドオーバー先決定部４２１は、ハンドオーバー制御部２２２から確保不可の通知を受ける場合がある。例えば、ハンドオーバー先の無線アクセスシステムを決定した時点では、必要無線リソースを確保可能であったものの、実際に必要無線リソースを確保する時点で、他の移動端末によりその無線アクセスシステムの無線リソースが使用され、必要無線リソースが確保できなくなってしまう場合等である。
【００９１】
この場合には、ハンドオーバー先決定部４２１は、無線リソース使用状況収集部２３に、再度、無線リソースの使用状況を収集するように指示をする。そして、ハンドオーバー先決定部４２１は、再度収集された無線リソースの使用状況に基づいて、提供可能システムの中から、必要無線リソースを確保できる無線アクセスシステムをハンドオーバー先の無線アクセスシステムとして、再度決定する。そして、ハンドオーバー先決定部４２１は、再度決定した無線アクセスシステムを、ハンドオーバー先候補通知と対応付けてハンドオーバー制御部２２２に通知する。ハンドオーバー先決定部４２１は、これらの点以外は、図１に示したハンドオーバー先決定部２１と実質的に同様である。
【００９２】
次に、移動通信システム４００におけるハンドオーバー制御方法の手順を図１３を用いて説明する。ハンドオーバー制御装置４２０は、図５に示したステップ（Ｓ１０１）〜（Ｓ１０４）と同様のステップ（Ｓ４０１）〜（Ｓ４０４）を行う。ハンドオーバー制御装置４２０は、図７に示したステップ（Ｓ２０４）、（Ｓ２０５）と同様のステップ（Ｓ４０５）、（Ｓ４０６）を行う。ステップ（Ｓ４０５）において、必要無線リソースが確保できなかった場合には、ハンドオーバー制御装置４２０は、ステップ（Ｓ４０３）、（Ｓ４０４）に戻り、再度、無線リソースの使用状況を収集し、再度、ハンドオーバー先の無線アクセスシステムを決定する。そして、ハンドオーバー制御装置４２０は、再度、ステップ（Ｓ４０５）に進み、ハンドオーバー先の必要無線リソースの確保を試みる。
【００９３】
このような移動通信システム４００、ハンドオーバー制御装置４２０及びハンドオーバー制御方法によれば、図１、５〜７に示した移動通信システム１００，２００、ハンドオーバー制御装置２０，２２０及びハンドオーバー制御方法によって得られる効果に加え、無線リソースの使用状況の変化に追従してハンドオーバーを制御でき、より確実に通信品質を確保できるという効果を得ることができる。
【００９４】
〔第５の実施の形態〕
図１４に示すように、移動通信システム５００は、ハンドオーバー制御装置５２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置５２０は、ハンドオーバー先決定部５２１と、ハンドオーバー制御部２２２と、無線リソース使用状況収集部２３と、システム情報データベース２４と、優先順位データベース２５と、優先順位取得部２６とを備える。図１４において、図１、図６、図８に示した移動通信システム１００，２００，３００と実質的に同様の構成については、同一の符号を付して説明を省略する。
【００９５】
ハンドオーバー先決定部５２１は、図１に示したハンドオーバー先決定部２１と同様にして、提供可能システムを選択する。次に、ハンドオーバー先決定部５２１は、図１に示したハンドオーバー先決定部２１と同様にして、収集したハンドオーバー先候補の無線アクセスシステムにおける無線リソースの使用状況と必要無線リソースに基づいて、提供可能システムの中から、必要無線リソースを確保できる無線アクセスシステムを選択する。
【００９６】
そして、ハンドオーバー先決定部５２１は、図８に示したハンドオーバー先決定部３２１と同様にして、必要無線リソースを確保できる無線アクセスシステムの中から、使用優先順位に基づいてハンドオーバー先の無線アクセスシステムを決定する。ハンドオーバー先決定部５２１は、必要無線リソースを確保できる無線アクセスシステムの中から、接続システムにおいて現在通信している通信種別の使用優先順位が最も高い無線アクセスシステムをハンドオーバー先に決定する。ハンドオーバー先決定部５２１は、決定した無線アクセスシステムを、ハンドオーバー先候補通知と対応付けてハンドオーバー制御部２２２に通知する。
【００９７】
その後、ハンドオーバー先決定部５２１は、ハンドオーバー制御部２２２から確保不可の通知を受ける場合がある。この場合には、ハンドオーバー先決定部５２１は、図１２に示したハンドオーバー先決定部４２１と同様にして、無線リソース使用状況収集部２３に、再度無線リソースの使用状況を収集するよう指示する。そして、ハンドオーバー先決定部５２１は、再度収集された無線リソースの使用状況に基づいて、ハンドオーバー先の無線アクセスシステムを再度決定し、再度決定した無線アクセスシステムを、ハンドオーバー先候補通知と対応付けてハンドオーバー制御部２２２に通知する。ハンドオーバー先決定部５２１は、これらの点以外は、図１に示したハンドオーバー先決定部２１と実質的に同様である。
【００９８】
次に、移動通信システム５００におけるハンドオーバー制御方法の手順を図１５を用いて説明する。ハンドオーバー制御装置５２０は、図５に示したステップ（Ｓ１０１）〜（Ｓ１０３）と同様のステップ（Ｓ５０１）〜（Ｓ５０３）を行う。次に、ハンドオーバー制御装置５２０は、無線リソースの使用状況と必要無線リソースに基づいて、提供可能システムの中から、通信中の通信種別の必要無線リソースを確保できる無線アクセスシステムを選択する（Ｓ５０４）。
【００９９】
そして、ハンドオーバー制御装置５２０は、図１１に示したステップ（Ｓ３０３）〜（Ｓ３０５）と同様のステップ（Ｓ５０５）〜（Ｓ５０７）を行う。ステップ（Ｓ５０６）において、必要無線リソースが確保できなかった場合には、ハンドオーバー制御装置４２０は、ステップ（Ｓ５０３）〜（Ｓ５０５）に戻り、無線リソースの使用状況を再度収集し、ハンドオーバー先の無線アクセスシステムを再度決定する。そして、ハンドオーバー制御装置４２０は、再度、ステップ（Ｓ５０６）に進み、ハンドオーバー先の必要無線リソースの確保を試みる。
【０１００】
このような移動通信システム５００、ハンドオーバー制御装置５２０及びハンドオーバー制御方法によれば、図８、図１１に示した移動通信システム３００、ハンドオーバー制御装置３２０及びハンドオーバー制御方法によって得られる効果と、図１２、１３に示した移動通信システム４００、ハンドオーバー制御装置４２０及びハンドオーバー制御方法によって得られる効果を同時に得ることができる。
【０１０１】
〔第６の実施の形態〕
図１６に示すように、移動通信システム６００は、ハンドオーバー制御装置６２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置６２０は、ハンドオーバー先決定部６２１と、ハンドオーバー制御部２２と、無線リソース使用状況収集部２３と、システム情報データベース２４と、契約情報データベース２７と、契約情報取得部２８とを備える。図１６において、図１に示した移動通信システム１００と実質的に同様の構成については、同一の符号を付して説明を省略する。
【０１０２】
契約情報データベース２７は、移動端末４０が利用可能な無線アクセスシステムや、利用可能な通信種別等の契約情報を保持する。移動端末４０のユーザは、事前に無線アクセスシステムを提供する通信事業者と契約を結び、無線アクセスシステムの利用許可を得る。ユーザは通信種別毎に利用許可を得てもよく、無線アクセスシステム毎に利用許可を得てもよい。契約情報には、このような契約により、移動端末４０が利用可能な無線アクセスシステムや、利用可能な通信種別等が含まれる。契約情報データベース２７は、移動端末４０毎に契約情報を保持する。例えば、契約情報データベース２７は、ユーザＩＤ等の移動端末４０の識別情報に対応付けて契約情報を保持する。契約情報取得部２８は、通信事業者による外部入力等により、契約情報を取得する。契約情報取得部２８は、取得した契約情報を契約情報データベース２７に格納する。
【０１０３】
ハンドオーバー先決定部６２１は、図１に示したハンドオーバー先決定部２１と同様にして、提供可能システムを選択する。ハンドオーバー先決定部６２１は、ハンドオーバー先候補通知に含まれる移動端末４０の識別情報に基づいて、契約情報データベース２７から契約情報を取得する。ハンドオーバー先決定部６２１は、取得した契約情報に基づいて、提供可能システムの中から移動端末４０が利用可能な無線アクセスシステムを選択する。
【０１０４】
そして、ハンドオーバー先決定部６２１は、図１に示したハンドオーバー先決定部２１と同様にして、収集したハンドオーバー先候補の無線アクセスシステムにおける無線リソースの使用状況と必要無線リソースに基づいて、移動端末４０が利用可能な提供可能システムの中から、必要無線リソースを確保できる無線アクセスシステムを、ハンドオーバー先の無線アクセスシステムに決定する。ハンドオーバー先決定部６２１は、決定した無線アクセスシステムを、ハンドオーバー先候補通知と対応付けてハンドオーバー制御部２２に通知する。ハンドオーバー先決定部６２１は、これらの点以外は、図１に示したハンドオーバー先決定部２１と実質的に同様である。
【０１０５】
このように、ハンドオーバー制御装置６２０が、契約情報データベース２７、契約情報取得部２８を備えることにより、移動端末４０がアクセスし、利用可能な無線アクセスシステムを予めコアネットワーク１０側で管理することができる。そして、ハンドオーバー先決定部６２１が、契約情報に基づいてハンドオーバー先の無線アクセスシステムを決定することにより、ハンドオーバー制御装置６２０は、契約情報を考慮して適切にハンドオーバーを制御できる。
【０１０６】
尚、図６、図１２に示したハンドオーバー制御装置２２０，４２０も、契約情報データベース２７、契約情報取得部２８を備えることができ、ハンドオーバー先決定部２２１，４２１は、契約情報に基づいてハンドオーバー先の無線アクセスシステムを決定することができる。
【０１０７】
〔第７の実施の形態〕
図１７に示すように、移動通信システム７００は、ハンドオーバー制御装置７２０と、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄと、移動端末４０とを備える。ハンドオーバー制御装置７２０は、ハンドオーバー先決定部３２１と、ハンドオーバー制御部２２と、システム情報データベース２４と、優先順位データベース２５と、優先順位取得部７２６と、契約情報データベース２７と、契約情報取得部２８とを備える。図１７において、図１、図８、図１６に示した移動通信システム１００，３００，６００と実質的に同様の構成については、同一の符号を付して説明を省略する。
【０１０８】
優先順位取得部７２６は、移動端末４０から使用優先順位を取得すると、その移動端末４０の識別情報に基づいて、契約情報データベース２７から契約情報を取得する。優先順位取得部７２６は、契約情報に基づいて、移動端末４０が使用優先順位を設定する無線アクセスシステムや通信種別の中に、移動端末４０が利用できない無線アクセスシステムが含まれていないか否かを判断する。
【０１０９】
優先順位取得部７２６は、移動端末４０が利用できない無線アクセスシステムや通信種別には、移動端末４０が優先順位を設定した場合であっても、優先順位データベース２５に優先順位を格納しないようにする。これにより優先順位に空きが生じる場合には、優先順位取得部７２６は優先順位を繰り上げる。例えば、図９に示す優先順位データベース２５の場合には、優先順位取得部７２６は、移動端末４０が利用できない無線アクセスシステムや通信種別に「×」を格納し、優先順位を繰り上げる。又、優先順位取得部７２６は、契約情報データベース２７から契約情報を取得し、移動端末４０が使用優先順位を設定する際の参考として、移動端末４０に提供してもよい。
【０１１０】
このようにハンドオーバー制御装置７２０では、優先順位取得部７２６が契約情報を考慮して優先順位データベース２５を構築できる。そのため、ハンドオーバー先決定部３２１は、優先順位データベース２５に保持される使用優先順位を用いるだけで、契約情報を考慮したハンドオーバーの制御を容易に行うことができる。尚、図１４に示したハンドオーバー制御装置５２０も、契約情報データベース２７、契約情報取得部２８、優先順位取得部７２６を備えることができる。
【０１１１】
〔第８の実施の形態〕
図１８に示すように、移動通信システム８００は、ハンドオーバー制御装置８２０と、複数のネットワークリソース管理装置（＃Ａ）５０ａ、ネットワークリソース管理装置（＃Ｂ）５０ｂと、複数の無線アクセスシステム（＃Ａ）３０ａ、無線アクセスシステム（＃Ｂ）３０ｂ、無線アクセスシステム（＃Ｃ）３０ｃ、無線アクセスシステム（＃Ｄ）３０ｄ、無線アクセスシステム（＃Ｅ）３０ｅ、無線アクセスシステム（＃Ｆ）３０ｆと、移動端末４０とを備える。
【０１１２】
ハンドオーバー制御装置８２０は、ハンドオーバー先決定部２１と、ハンドオーバー制御部８２２と、無線リソース使用状況収集部２３と、システム情報データベース２４とを備える。
【０１１３】
無線アクセスシステム（＃Ｅ）３０ｅ、無線アクセスシステム（＃Ｆ）３０ｆはそれぞれ無線リソース管理装置３１ｅ，３１ｆと、基地局３２ｅ，３２ｆを備える。図１８において、図１に示した移動通信システム１００と実質的に同様の構成については、同一の符号を付して説明を省略する。
【０１１４】
ネットワークリソース管理装置（＃Ａ）５０ａ、ネットワークリソース管理装置（＃Ｂ）５０ｂは、コアネットワーク８１０に設けられる。コアネットワーク８１０は、複数のＭＳＣ（Mobile  Switching  Center）６０ａ，６０ｂと、複数のＳＧＳＮ（Serving  GPRS  Support  Node）７０ａ，７０ｂと、ＧＭＳＣ（Gateway  MSC）８０ａと、ＧＧＳＮ（Gateway  GPRS  Support  Node）８０ｂと、ＡＴＭ（Asynchronous  Transfer  Mode）網９０とを備える。
【０１１５】
ＭＳＣ６０ａは、無線アクセスシステム（＃Ａ）３０ａ、無線アクセスシステム（＃Ｂ）３０ｂ、無線アクセスシステム（＃Ｃ）３０ｃに接続する移動端末４０の回線交換方式による通信を制御する、無線アクセスシステム側の回線交換機である。ＭＳＣ６０ｂは、無線アクセスシステム（＃Ｄ）３０ｄ、無線アクセスシステム（＃Ｅ）３０ｅ、無線アクセスシステム（＃Ｆ）３０ｆに接続する移動端末４０の回線交換方式による通信を制御する、無線アクセスシステム側の回線交換機である。ＧＭＳＣ８０ａは、他のネットワークと接続する、他ネットワーク側の回線交換機である。
【０１１６】
ＳＧＳＮ７０ａは、無線アクセスシステム（＃Ａ）３０ａ、無線アクセスシステム（＃Ｂ）３０ｂ、無線アクセスシステム（＃Ｃ）３０ｃに接続する移動端末４０のパケット交換方式による通信を制御する、無線アクセスシステム側のパケット交換機である。ＳＧＳＮ７０ｂは、無線アクセスシステム（＃Ｄ）３０ｄ、無線アクセスシステム（＃Ｅ）３０ｅ、無線アクセスシステム（＃Ｆ）３０ｆに接続する移動端末４０のパケット交換方式による通信を制御する、無線アクセスシステム側のパケット交換機である。ＧＧＳＮ８０ｂは、他のネットワークと接続する、他ネットワーク側のパケット交換機である。
【０１１７】
ＡＴＭ網９０は、無線アクセスシステム側のＭＳＣ６０ａ，６０ｂと他ネットワーク側のＧＭＳＣ８０ａとの間、無線アクセスシステム側のＳＧＳＮ７０ａ，７０ｂと他ネットワーク側のＧＧＳＮ８０ｂとの間で、転送を行う転送網である。ＡＴＭ網９０は、複数のルータ９１を備える。
【０１１８】
ネットワークリソース管理装置（＃Ａ）５０ａ、ネットワークリソース管理装置（＃Ｂ）５０ｂは、コアネットワーク８１０のネットワークリソースを管理する。ネットワークリソース管理装置（＃Ａ）５０ａ、ネットワークリソース管理装置（＃Ｂ）５０ｂは、ハンドオーバー制御装置８２０によるネットワークリソースの確保の指示に従って、ハンドオーバー先の無線アクセスシステムにハンドオーバーを行うことにより必要となるコアネットワーク８１０のネットワークリソースを確保する。
【０１１９】
ネットワークリソース管理装置（＃Ａ）５０ａは、無線アクセスシステム（＃Ａ）３０ａ、無線アクセスシステム（＃Ｂ）３０ｂ、無線アクセスシステム（＃Ｃ）３０ｃに接続する移動端末４０が利用するネットワークリソースを管理する。具体的には、無線アクセスシステム（＃Ａ）３０ａ、無線アクセスシステム（＃Ｂ）３０ｂ、無線アクセスシステム（＃Ｃ）３０ｃに接続する移動端末４０が利用するＭＳＣ６０ａ及びＳＧＳＮ７０ａのリソースや、ＭＳＣ６０ａからＧＭＳＣ８０ａ、ＳＧＳＮ７０ａからＧＧＳＮ８０ｂにデータを転送するためのＡＴＭ網９０のリソースを管理する。
【０１２０】
ネットワークリソース管理装置（＃Ｂ）５０ｂは、無線アクセスシステム（＃Ｄ）３０ｄ、無線アクセスシステム（＃Ｅ）３０ｅ、無線アクセスシステム（＃Ｆ）３０ｆに接続する移動端末４０が利用するネットワークリソースを管理する。具体的には、無線アクセスシステム（＃Ｄ）３０ｄ、無線アクセスシステム（＃Ｅ）３０ｅ、無線アクセスシステム（＃Ｆ）３０ｆに接続する移動端末４０が利用するＭＳＣ６０ｂ及びＳＧＳＮ７０ｂのリソースや、ＭＳＣ６０ｂからＧＭＳＣ８０ａ、ＳＧＳＮ７０ｂからＧＧＳＮ８０ｂにデータを転送するためのＡＴＭ網９０のリソースを管理する。
【０１２１】
このように、無線アクセスシステム（＃Ａ）３０ａ、無線アクセスシステム（＃Ｂ）３０ｂ、無線アクセスシステム（＃Ｃ）３０ｃは、ネットワークリソース管理装置（＃Ａ）５０ａに収容されている。無線アクセスシステム（＃Ｄ）３０ｄ、無線アクセスシステム（＃Ｅ）３０ｅ、無線アクセスシステム（＃Ｆ）３０ｆは、ネットワークリソース管理装置（＃Ｂ）５０ｂに収容されている。又、ネットワークリソースには、例えば、ＭＳＣ６０ａ，６０ｂ、ＳＧＳＮ７０ａ，７０ｂ、ＡＴＭ網９０の処理能力やデータ蓄積容量等がある。
【０１２２】
ネットワークリソース管理装置（＃Ａ）５０ａ、ネットワークリソース管理装置（＃Ｂ）５０ｂはそれぞれ、ハンドオーバー制御装置８２０からネットワークリソースの確保の指示５を取得すると、ハンドオーバー先の無線アクセスシステムにハンドオーバーを行うことにより必要となるコアネットワーク８１０のリソースを確保する。
【０１２３】
具体的には、ネットワークリソース管理装置（＃Ａ）５０ａ、ネットワークリソース管理装置（＃Ｂ）５０ｂは、ハンドオーバ先と、通信中の通信種別やその通信品質を指定したネットワークリソースの確保の指示を取得する。そして、例えば、ハンドオーバー先として無線アクセスシステム（＃Ｃ）３０ｃ、通信中の通信種別として回線交換方式による音声通話を指定された場合、ネットワークリソース管理装置（＃Ａ）５０ａは、ＭＳＣ６０ａのリソースと、ＭＳＣ６０ａからＧＭＳＣ８０ａまでの転送経路上のルータ９１のリソースを確保し、コアネットワーク８１０内に移動端末４０のユーザデータ（音声データ）を転送する経路７ａ（ネットワークベアラ）を設定する。
【０１２４】
又、例えば、ハンドオーバー先として無線アクセスシステム（＃Ｄ）３０ｄ、通信中の通信種別としてパケット通信及びその許容遅延を指定された場合、ネットワークリソース管理装置（＃Ｂ）５０ｂは、ＳＧＳＮ７０ｂのリソースと、ＳＧＳＮ７０ｂからＧＧＳＮ８０ｂまでの転送経路上のルータ９１のリソースを、許容遅延を満たすことができるように確保し、コアネットワーク８１０内に移動端末４０のユーザデータを転送する経路７ｂ（ネットワークベアラ）を設定する。
【０１２５】
ネットワークリソース管理装置（＃Ａ）５０ａ、ネットワークリソース管理装置（＃Ｂ）５０ｂは、指示されたネットワークリソースの確保が終了すると、確保終了通知６をハンドオーバー制御装置８２０に提供する。
【０１２６】
ハンドオーバー制御部８２２は、ハンドオーバー先の無線アクセスシステムにハンドオーバーを行うことにより必要となるコアネットワーク８１０のネットワークリソースの確保を、ネットワークリソース管理装置（＃Ａ）５０ａ、ネットワークリソース管理装置（＃Ｂ）５０ｂに指示する。
【０１２７】
具体的には、ハンドオーバー制御部８２２は、予め、ネットワークリソース管理装置と、ネットワークリソース管理装置が管理するネットワークリソースがいずれの無線アクセスシステムと関係するものであるかを保持しておく。即ち、ハンドオーバー制御部８２２は、ネットワークリソース管理装置と、ネットワークリソース管理装置に収容されている無線アクセスシステムとの対応関係（以下「対応関係情報」という）を保持する。
【０１２８】
図１８の場合、ハンドオーバー制御部８２２は、ネットワークリソース管理装置（＃Ａ）５０ａと、無線アクセスシステム（＃Ａ）３０ａ、無線アクセスシステム（＃Ｂ）３０ｂ、無線アクセスシステム（＃Ｃ）３０ｃとを対応付け、ネットワークリソース管理装置（＃Ｂ）５０ｂと、無線アクセスシステム（＃Ｄ）３０ｄ、無線アクセスシステム（＃Ｅ）３０ｅ、無線アクセスシステム（＃Ｆ）３０ｆとを対応付けて、対応関係情報として保持する。
【０１２９】
そして、ハンドオーバー制御部８２２は、現在接続している無線アクセスシステムと、決定したハンドオーバー先と、対応関係情報に基づいて、移動端末４０が利用するネットワークリソースを管理するネットワークリソース管理装置が、ハンドオーバーにより変更されるか否かを判断する。即ち、ハンドオーバー制御部８２２は、ハンドオーバーに伴ってコアネットワーク８１０内を転送されるユーザデータの経路（ネットワークベアラ）が変更され、そのためのネットワークリソースを確保するネットワークリソース管理装置が変更されるか否かを判断する。
【０１３０】
例えば、移動端末４０が、現在、無線アクセスシステム（＃Ｃ）３０ｃに接続しており、ハンドオーバー先が無線アクセスシステム（＃Ｄ）３０ｄの場合には、無線アクセスシステムが収容されているネットワークリソース管理装置が、ハンドオーバーによりネットワークリソース管理装置（＃Ａ）５０ａからネットワークリソース管理装置（＃Ｂ）５０ｂに変更されると判断する。
【０１３１】
一方、移動端末４０が、現在、無線アクセスシステム（＃Ｃ）３０ｃに接続しており、ハンドオーバー先が無線アクセスシステム（＃Ｂ）３０ｂの場合には、無線アクセスシステムが収容されているネットワークリソース管理装置が、ハンドオーバーにより変更されず、ネットワークリソース管理装置（＃Ａ）５０ａのままであると判断する。
【０１３２】
ハンドオーバー制御部８２２は、ネットワークリソース管理装置が変更されると判断した場合には、変更先のネットワークリソース管理装置にネットワークリソースの確保の指示５を送信し、確保を指示する。具体的には、ハンドオーバー制御部８２２は、ハンドオーバー先と、通信中の通信種別やその通信品質を指定して指示を行う。
【０１３３】
ハンドオーバー制御部８２２は、確保終了通知６をネットワークリソース管理装置５０ａ，５０ｂから取得する。ハンドオーバー制御部８２２は、無線リソース管理装置からの確保結果通知３が無線リソースを確保できたことを示し、確保終了通知６を取得した場合には、無線リソース及びネットワークリソースが確保できたことを確認できる。そして、ハンドオーバー制御部８２２は、決定されたハンドオーバー先の無線アクセスシステムへのハンドオーバーを指示する。
【０１３４】
尚、これらの点以外は、ハンドオーバー制御部８２２は、図１に示したハンドオーバー制御部２２と実質的に同様である。又、ネットワークリソース確保の指示５、確保終了通知６等は、図１８中点線で示される制御データとしてやりとりされる。
【０１３５】
次に、移動通信システム８００におけるハンドオーバー制御方法の手順を図１９を用いて説明する。移動端末４０は、ハンドオーバー制御装置８２０にハンドオーバー先候補通知１を送信する（Ｓ６０１）。ハンドオーバー制御装置８２０は、図５に示すステップ（Ｓ１０２）〜（Ｓ１０４）等と同様にして、ハンドオーバー先の無線アクセスシステムを決定する（Ｓ６０２）。ここでは、ハンドオーバー先が無線アクセスシステム（＃Ｄ）３０ｄに決定された場合を例にとって説明する。
【０１３６】
ハンドオーバー制御装置８２０は、決定したハンドオーバー先の無線アクセスシステム（＃Ｄ）３０の無線リソース管理装置３１ｄに必要無線リソースの確保の指示２を送信する（Ｓ６０３）。更に、ハンドオーバー制御装置８２０は、ハンドオーバーにより、ネットワークリソース管理装置が変更されるか否かを判断する（Ｓ６０４）。
【０１３７】
ハンドオーバー制御装置８０２は、例えば、現在、移動端末４０が無線アクセスシステム（＃Ｃ）３０ｃに接続している場合には、ハンドオーバーによりネットワークリソース管理装置（＃Ａ）５０ａからネットワークリソース管理装置（＃Ｂ）５０ｂに変更されると判断する。そして、ハンドオーバー制御装置８２０は、ネットワークリソース管理装置（＃Ｂ）５０ｂにネットワークリソース確保の指示５を送信する（Ｓ６０５）。
【０１３８】
指示を受けた無線リソース管理装置３１ｄは、必要無線リソースを確保し（Ｓ６０６）、確保結果通知３をハンドオーバー制御装置８２０に送信する（Ｓ６０７）。更に、ネットワークリソース管理装置（＃Ｂ）５０ｂも、ネットワークリソースを確保して、コアネットワーク８１０内に移動端末４０のユーザデータを転送する経路７ｂ（ネットワークベアラ）を設定する（Ｓ６０８）。ネットワークリソース管理装置（＃Ｂ）５０ｂは、確保終了通知６をハンドオーバー制御装置８２０に送信する（Ｓ６０９）。
【０１３９】
ハンドオーバー制御装置８２０は、確保結果通知３及び確保終了通知６により、無線リソースとネットワークリソースの両者が確保されたことを確認すると、例えば、移動端末４０に切り替え指示４を送信し、ハンドオーバーを指示する（Ｓ６１０）。そして、移動端末４０が、ハンドオーバーを実行する（Ｓ６１１）。
【０１４０】
尚、ステップ（Ｓ６０４）において、ハンドオーバー制御装置８２０は、例えば、現在、移動端末４０が無線アクセスシステム（＃Ｅ）３０ｅに接続している場合には、ハンドオーバーによりネットワークリソース管理装置が変更されないと判断する。この場合、ハンドオーバー制御装置８２０は、ネットワークリソース管理装置（＃Ｂ）５０ｂへの指示は行わず、無線リソース管理装置３１ｄから確保結果通知３を取得し、無線リソースの確保を確認すると、ハンドオーバーを指示する（Ｓ６１０）。
【０１４１】
このような移動通信システム８００、ハンドオーバー制御装置８２０、ネットワークリソース管理装置（＃Ａ）５０ａ、ネットワークリソース管理装置（＃Ｂ）５０ｂ、ハンドオーバー制御方法によれば、ハンドオーバーに伴って必要となる無線リソースだけでなく、コアネットワーク８１０のネットワークリソースも確保することができる。そのため、より確実にハンドオーバー後もハンドオーバー前に行っていた通信種別で要求される通信品質を維持することができる。又、ネットワークリソース管理装置（＃Ａ）５０ａ、ネットワークリソース管理装置（＃Ｂ）５０ｂは、ハンドオーバー制御装置８２０による通信品質を考慮した、異なる無線アクセスシステム間のハンドオーバーの制御に寄与できる。
【０１４２】
尚、図６、図８、図１２、図１４、図１６、図１７に示した移動通信システム２００，３００，４００，５００，６００，７００も、コアネットワーク８１０に設けられるネットワークリソース管理装置（＃Ａ）５０ａ、ネットワークリソース管理装置（＃Ｂ）５０ｂを備えることができる。そして、ハンドオーバー制御装置２２０，３２０，４２０，５２０，６２０，７２０も、ハンドオーバー制御部８２２のネットワークリソースの確保を指示する機能を備えることができる。又、ネットワークリソース管理装置が管理するネットワークリソースの種類は限定されず、例えば、コアネットワークに設けられたルータのリソース等も管理できる。
【０１４３】
〔変更例〕
本発明は上記実施の形態に限定されるものではなく、種々の変更が可能である。例えば、ハンドオーバー制御装置２０，２２０，３２０，４２０，５２０，６２０，７２０，８２０は、移動端末４０のユーザの希望料金を保持する希望料金データベースを備えるようにようにしてもよい。この場合、図２に示したシステム情報データベース２４は、無線アクセスシステム毎、通信種別毎の料金を保持するようにする。そして、ハンドオーバー先決定部２１，２２１，３２１，４２１，５２１，６２１は、システム情報データベース２４と希望料金データベースを参照することにより、料金も考慮してハンドオーバー先を決定してもよい。
【０１４４】
又、上記実施の形態では、ハンドオーバー先候補通知に現在通信中の通信種別が含まれている場合を例にとって説明したが、ハンドオーバー制御装置２０，２２０，３２０，４２０，５２０，６２０，７２０，８２０は、現在通信中の通信種別を保持する通信種別データベースを備えてもよい。通信種別データベースは、移動端末４０の識別情報と、その通信中の通信種別を対応付けて保持する。例えば、ハンドオーバー制御部２２，２２２が、移動端末４０の通信開始時や通信種別変更時に無線アクセスシステム又は移動端末４０から、移動端末４０の識別情報と対応付けて現在通信中の通信種別を取得し、通信種別データベースに登録、更新できる。
【０１４５】
この場合、移動端末４０は、ハンドオーバー先候補通知に現在通信中の通信種別を含める必要はない。又、ハンドオーバー先決定部２１，２２１，３２１，４２１，５２１，６２１は、現在通信中の通信種別をハンドオーバー先候補通知から取得するのではなく、通信種別データベースから取得できる。
【図面の簡単な説明】
【０１４６】
【図１】本発明の第１の実施の形態に係る移動通信システムの構成を示す図である。
【図２】本発明の第１の実施の形態に係るシステム情報データベースを示す図である。
【図３】本発明の第１の実施の形態に係るハンドオーバー先候補通知を説明する図である。
【図４】本発明の第１の実施の形態に係る無線アクセスシステムの選択方法を説明する図である。
【図５】本発明の第１の実施の形態に係るハンドオーバー制御方法の手順を示すフロー図である。
【図６】本発明の第２の実施の形態に係る移動通信システムの構成を示す図である。
【図７】本発明の第２の実施の形態に係るハンドオーバー制御方法の手順を示すフロー図である。
【図８】本発明の第３の実施の形態に係る移動通信システムの構成を示す図である。
【図９】本発明の第３の実施の形態に係る優先順位データベースを示す図である。
【図１０】本発明の第３の実施の形態に係るハンドオーバー先の無線アクセスシステムの決定方法を説明する図である。
【図１１】本発明の第３の実施の形態に係るハンドオーバー制御方法の手順を示すフロー図である。
【図１２】本発明の第４の実施の形態に係る移動通信システムの構成を示す図である。
【図１３】本発明の第４の実施の形態に係るハンドオーバー制御方法の手順を示すフロー図である。
【図１４】本発明の第５の実施の形態に係る移動通信システムの構成を示す図である。
【図１５】本発明の第５の実施の形態に係るハンドオーバー制御方法の手順を示すフロー図である。
【図１６】本発明の第６の実施の形態に係る移動通信システムの構成を示す図である。
【図１７】本発明の第７の実施の形態に係る移動通信システムの構成を示す図である。
【図１８】本発明の第８の実施の形態に係る移動通信システムの構成を示す図である。
【図１９】本発明の第８の実施の形態に係るハンドオーバー制御方法の手順を示すフロー図である。
【符号の説明】
【０１４７】
１０，８１０  コアネットワーク
２０，２２０，３２０，４２０，５２０，６２０，７２０，８２０  ハンドオーバー制御装置
２１，２２１，３２１，４２１，５２１，６２１  ハンドオーバー先決定部
２２，２２２，８２２  ハンドオーバー制御部
２３  無線リソース使用状況収集部
２４  システム情報データベース
２５  優先順位データベース
２６，７２６  優先順位取得部
２７  契約情報データベース
２８  契約情報取得部
３０ａ  無線アクセスシステム（＃Ａ）
３０ｂ  無線アクセスシステム（＃Ｂ）
３０ｃ  無線アクセスシステム（＃Ｃ）
３０ｄ  無線アクセスシステム（＃Ｄ）
３０ｅ  無線アクセスシステム（＃Ｅ）
３０ｆ  無線アクセスシステム（＃Ｆ）
３１ａ，３１ｂ，３１ｃ，３１ｄ，３１ｅ，３１ｆ  無線リソース管理装置
３２ａ，３２ｂ，３２ｃ，３２ｄ，３２ｅ，３２ｆ  基地局
４０  移動端末
１００，２００，３００，４００，５００，６００，７００，８００  移動通信システム
【図１】
2006020270.tif 000003
【図２】
2006020270.tif 000004
【図３】
2006020270.tif 000005
【図４】
2006020270.tif 000006
【図５】
2006020270.tif 000007
【図６】
2006020270.tif 000008
【図７】
2006020270.tif 000009
【図８】
2006020270.tif 000010
【図９】
2006020270.tif 000011
【図１０】
2006020270.tif 000012
【図１１】
2006020270.tif 000013
【図１２】
2006020270.tif 000014
【図１３】
2006020270.tif 000015
【図１４】
2006020270.tif 000016
【図１５】
2006020270.tif 000017
【図１６】
2006020270.tif 000018
【図１７】
2006020270.tif 000019
【図１８】
2006020270.tif 000020
【図１９】
2006020270.tif 000021